(57)【要約】【課題】改札ゲートの通過により交通機関の乗車可能な乗り物の到着駅の到着時刻を端末の画面に表示可能とし、到着時刻を調べる手間をなくし利便性を向上させた携帯端末装置、非接触ＩＣ対応改札機、時刻情報表示方法及び時間情報表示プログラムを提供する。【解決手段】改札ゲートの通過時に、携帯電話機（携帯端末装置）１１の非接触ＩＣ１３から非接触ＩＣ対応改札機２１に定期券情報を送信し、前記非接触ＩＣ対応改札機２１は受信した定期券情報に基づいて当該定期券区間等の時刻表データを送信し、携帯電話機１１は前記時刻表データを受信して、最も早く乗車できる交通機関の電車等の到着駅の到着時刻を表示制御部１２に表示する。例えば定期券区間の各駅の到着時刻又は定期券区間における終着駅の到着時刻を表示可能とする。また、ユーザによる乗り越し下車駅の指定入力を可能とし、乗り越し下車駅の指定入力時に前記時刻表データから該乗り越し下車駅の到着時刻を検索して表示する。【選択図】図１
2008067295.tif 000002
【特許請求の範囲】
【請求項１】
改札ゲートの非接触ＩＣ対応改札機と通信可能な非接触ＩＣを搭載する携帯端末装置であって、
改札ゲートの通過時に前記非接触ＩＣから前記非接触ＩＣ対応改札機に送信した定期券情報に基づく前記非接触ＩＣ対応改札機からの時刻表データを受信して最も早く乗車できる交通機関の乗り物の到着駅の到着時刻を表示することを特徴とする携帯端末装置。
【請求項２】
前記時刻表データは定期券区間の各駅の到着時刻のデータであり、当該各駅の到着時刻を表示することを特徴とする請求項１記載の携帯端末装置。
【請求項３】
前記時刻表データは定期券区間における終着駅の到着時刻のデータであり、当該終着駅の到着時刻を表示することを特徴とする請求項１記載の携帯端末装置。
【請求項４】
前記時刻表データは定期券区間及び定期券区間外の所定区間を含む時刻表データであり、指定駅の入力を可能とし、前記指定駅の入力時に前記時刻表データから該指定駅の到着時刻を検索して表示することを特徴とする請求項１記載の携帯端末装置。
【請求項５】
改札ゲートの通過時に交通機関のネットワークに接続し、少なくとも交通機関の運行状況の情報を受信して表示することを特徴とする請求項１ないし４の何れかの請求項記載の携帯端末装置。
【請求項６】
搭載する非接触ＩＣを介して受信した時刻表データの表示機能を有する携帯端末装置と通信可能な改札ゲートの非接触ＩＣ対応改札機であって、
前記携帯端末装置が改札ゲートを通過時に、前記非接触ＩＣから送信された定期券情報を受信して、当該定期券情報に基づき最も早く乗車できる交通機関の乗り物の到着駅の到着時刻の情報を含む時刻表データを前記携帯端末装置に送信することを特徴とする非接触ＩＣ対応改札機。
【請求項７】
前記時刻表データは定期券区間の各駅の到着時刻のデータであることを特徴とする請求項６記載の非接触ＩＣ対応改札機。
【請求項８】
前記時刻表データは定期券区間又は定期券区間と定期券区間外の所定区間を含む時刻表データであることを特徴とする請求項６記載の非接触ＩＣ対応改札機。
【請求項９】
改札ゲートの非接触ＩＣ対応改札機から時刻表データを受信して表示する前記非接触ＩＣ対応改札機と通信可能な非接触ＩＣを搭載する携帯端末装置の時刻情報表示方法であって、
改札ゲートの通過時に、
前記携帯端末装置は、非接触ＩＣから前記非接触ＩＣ対応改札機に定期券情報を送信し、前記非接触ＩＣ対応改札機から非接触ＩＣを介して時刻表データを受信して改札ゲートの通過時から最も早く乗車できる交通機関の乗り物の到着駅の到着時刻を表示し、
前記非接触ＩＣ対応改札機は、受信した前記定期券情報により前記時刻表データを前記非接触ＩＣに送信する
ことを特徴とする時刻情報表示方法。
【請求項１０】
前記時刻表データは定期券区間の各駅の到着時刻のデータであり、前記携帯端末装置は当該各駅の到着時刻を表示することを特徴とする請求項９記載の時刻情報表示方法。
【請求項１１】
前記時刻表データは定期券区間における終着駅の到着時刻のデータであり、当該終着駅の到着時刻を表示することを特徴とする請求項９記載の時刻情報表示方法。
【請求項１２】
前記時刻表データは定期券区間及び定期券区間外の所定区間の時刻表データであり、前記携帯端末装置は指定駅の入力を可能とし、指定駅の入力時に前記時刻表データから該指定駅の到着時刻を検索して表示することを特徴とする請求項９記載の時刻情報表示方法。
【請求項１３】
前記携帯端末装置は、改札ゲートの通過時に交通機関のネットワークに接続し、少なくとも交通機関の運行状況の情報を受信して表示することを特徴とする請求項９ないし１２の何れかの請求項記載の時刻情報表示方法。
【請求項１４】
改札ゲートの非接触ＩＣ対応改札機と通信可能な非接触ＩＣを搭載する携帯端末装置の制御部を制御する時間情報表示プログラムであって、
前記制御部に、改札ゲートの通過時に前記非接触ＩＣから前記非接触ＩＣ対応改札機に定期券情報を送信する送信機能と、前記非接触ＩＣ対応改札機から定期券情報に対応する時刻表データを受信する受信機能と、受信した時刻表データにより最も早く乗車できる交通機関の乗り物の到着駅の到着時刻を表示する表示機能と、を実現することを特徴とする時間情報表示プログラム。
【請求項１５】
前記時刻表データは定期券区間の各駅の到着時刻のデータであり、前記表示機能は各駅の到着時刻を表示する機能であることを特徴とする請求項１４記載の時間情報表示プログラム。
【請求項１６】
前記時刻表データは定期券区間における終着駅の到着時刻のデータであり、前記表示機能は当該終着駅の到着時刻を表示する機能であることを特徴とする請求項１４記載の時間情報表示プログラム。
【請求項１７】
前記時刻表データは定期券区間及び定期券区間外の所定区間の時刻表データであり、前記制御部に、指定駅の入力を可能とする入力機能と、指定駅の入力時に前記時刻表データから該指定駅の到着時刻を検索して表示する機能と、を実現することを特徴とする請求項１４記載の時間情報表示プログラム。
【請求項１８】
前記制御部に、改札ゲートの通過時に交通機関のネットワークに接続し、少なくとも交通機関の運行状況の情報を受信して表示する機能を実現することを特徴とする請求項１４ないし１７の何れかの請求項記載の時間情報表示プログラム。
【発明の詳細な説明】
【技術分野】
【０００１】
本発明は時刻情報表示に関し、特に交通機関等を利用した際の到着時刻を表示可能な携帯端末装置、非接触ＩＣ対応改札機、時刻情報表示方法及び時間情報表示プログラムに関する。
【背景技術】
【０００２】
従来より電車等の交通機関の利用者は発車時刻を駅構内等の電光掲示板等により確認しており、また、到着する駅の到着時刻については時刻表を用いて調査したり、インターネットで調査するといった方法で確認していた。
【０００３】
また、交通機関の利用者が家族等への帰宅予定時刻の情報を送信する際の手間を軽減できるようにした時間情報通知システム等が提案されている（特許文献１参照）。この時間情報通知システムは、非接触ＩＣカードと携帯電話端末の制御部（ＣＰＵ）とで構成され、非接触ＩＣカードで自動改札機の通過時に入場信号と駅名情報（現在位置情報）を取得し、制御部で時計から得た現在時刻情報と、前記現在位置情報と、予め保存された目的地位置情報、路線、時刻表情報とから目的地への目的地までの所要時間を計算し、該所要時間に現在時刻を加算して到着予定時刻を算出し、その到着位置情報を挿入した電子メールを生成して相手先の電子メールアドレス宛に送信するように構成したものである。
【０００４】
【特許文献１】特開２００４−２２９２１０号公報
【発明の開示】
【発明が解決しようとする課題】
【０００５】
電車等の発車時刻は駅構内等に設けられた電光掲示板等で確認することが可能であるが、到着時刻となると時刻表を調べる方法もしくは通信料金を要するインターネットを利用して調べる方法等、手間等のかかる方法に拠らざるをえなかった。
【０００６】
また、特許文献１記載のシステムは、自動改札機を通過することにより到着時間の情報を生成するものであるが、目的地位置情報、路線、時刻表情報及び時計から得た現時時刻情報とから目的地への到着予定時刻を算出し電子メールにより送信相手先に通知するものであって、予め携帯電話端末に路線、時刻表情報等を保存する必要があるのみならず、携帯電話端末に搭載された時計の時刻情報がずれたりダイヤ改正により正確な到着時刻は算出できなくなるという難点があり、携帯電話端末のユーザ自体が到着時刻を確認するものでもない。
【０００７】
（目的）
本発明の目的は、改札ゲートの通過により交通機関の乗車可能な乗り物の到着駅の到着時刻を端末の画面に表示可能とし、到着時刻を調べる手間をなくし利便性を向上させた携帯端末装置、非接触ＩＣ対応改札機、時刻情報表示方法及び時間情報表示プログラムを提供することにある。
【０００８】
本発明の他の目的は、予め端末装置本体に経路、時刻表情報等を記憶する必要が無く、端末装置本体の時計の時刻情報のずれやダイヤ改正にも正確な到着時刻を端末本体で表示可能とした携帯端末装置、非接触ＩＣ対応改札機、時刻情報表示方法及び時間情報表示プログラムを提供することにある。
【課題を解決するための手段】
【０００９】
本発明は、改札ゲートの非接触ＩＣ対応改札機と、前記非接触ＩＣ対応改札機と通信可能な非接触ＩＣを搭載する携帯端末装置とからなる時刻情報表示システムに関し、改札ゲートの通過時に、前記携帯端末装置は、非接触ＩＣから前記非接触ＩＣ対応改札機に定期券情報を送信し、前記非接触ＩＣ対応改札機から非接触ＩＣを介して時刻表データを受信して改札ゲートの通過時から最も早く乗車できる交通機関の乗り物の到着駅の到着時刻を表示し、前記非接触ＩＣ対応改札機は、受信した前記定期券情報により前記時刻表データを前記非接触ＩＣに送信する。また、前記時刻表データは定期券区間の各駅の到着時刻のデータであり、前記携帯端末装置は当該各駅の到着時刻を表示し、又は、前記時刻表データは定期券区間における終着駅の到着時刻のデータであり、当該終着駅の到着時刻を表示する。また、前記時刻表データは定期券区間及び定期券区間外の所定区間の時刻表データであり、前記携帯端末装置は指定駅の入力を可能とし、指定駅の入力時に前記時刻表データから該指定駅の到着時刻を検索して表示する。更に前記携帯端末装置は、改札ゲートの通過時に交通機関のネットワークに接続し、少なくとも交通機関の運行状況の情報を受信して表示することを特徴とする。
【００１０】
本発明は、改札ゲートの非接触ＩＣ対応改札機と通信可能な非接触ＩＣを搭載する携帯端末装置の制御部を制御する時間情報表示プログラムであって、前記制御部に、改札ゲートの通過時に前記非接触ＩＣから前記非接触ＩＣ対応改札機に定期券情報を送信する送信機能と、前記非接触ＩＣ対応改札機から定期券情報に対応する時刻表データを受信する受信機能と、受信した時刻表データにより最も早く乗車できる交通機関の乗り物の到着駅の到着時刻を表示する表示機能とを実現する。また、前記時刻表データは定期券区間の各駅の到着時刻のデータであり、前記表示機能は各駅の到着時刻を表示する機能、又は前記時刻表データは定期券区間における終着駅の到着時刻のデータであり、前記表示機能は当該終着駅の到着時刻を表示する機能である。また、前記時刻表データは定期券区間及び定期券区間外の所定区間の時刻表データであり、前記制御部に、指定駅の入力を可能とする入力機能と、指定駅の入力時に前記時刻表データから該指定駅の到着時刻を検索して表示する機能とを実現する。更に前記制御部に、改札ゲートの通過時に交通機関のネットワークに接続し、少なくとも交通機関の運行状況の情報を受信して表示する機能を実現することを特徴とする。
【００１１】
具体的には、携帯端末装置（１１）は、非接触ＩＣ（１３）と、定期券情報を格納する定期券情報格納メモリ（１９）と、非接触ＩＣ対応改札機（２１）からの受信データ（５０）を格納する時刻表データ格納手段（１５）と、格納したデータを表示する設定等を選択・入力する入力手段（１６）と、選択したデータを表示する表示手段（１２）と、携帯端末装置（１１）を制御するプログラムを格納する制御プログラム格納手段（１７）と、コンピュータを構成するＣＰＵ（１４）と、ＣＰＵが一時的にデータを退避する退避手段（１８）とを具備し、また、非接触ＩＣ対応改札機（２１）は、自動改札制御を行うとともに、非接触ＩＣ（１３）を介して定期券情報を受信し、時刻表データベース（３１）から時刻表データを抽出して送信データとして非接触ＩＣ（１３）に送信する制御を行う改札制御部（２２）とを具備する。携帯端末装置（１１）が非接触ＩＣ対応改札機（２２）を通過すると、携帯端末装置（１１）には自動的に定期区間の到着時刻が表示され、又は指定駅の入力により乗り越し駅の到着時刻が表示され、到着時刻を調査する手間を不要とし高い利便性が実現される（図１）。
【発明の効果】
【００１２】
本発明によれば、交通機関等の改札機の通過後の乗車可能な電車等による到着時刻が非接触ＩＣ対応改札機からの時刻表データにより表示画面に表示でき、携帯端末装置内で計算することなく、また、時刻表やインターネットを利用することなく、即座に確認することが可能である。
【００１３】
また乗り越しの場合にも、駅名を入力することにより当該駅の到着時刻を簡単に表示でき確認することが可能である。つまり、非接触ＩＣ対応改札機から受信した時刻表データはそのまま携帯端末装置のメモリ等に保存されるため、改札を抜けるまでに行き先が変更になっても容易に新たな行き先の到着時刻の検索が可能である。
【００１４】
更に、時刻表データは改札ゲートを通過する際に改札ゲートに設置された非接触ＩＣ対応改札機から携帯端末装置に送信するように構成されているから、非接触ＩＣ対応改札機から常に最新の時刻表データを送信することにより、携帯端末装置では予め時刻表データ等の情報を格納したり更新する必要は全くなく、常に正確な到着時刻の表示が可能である。
【００１５】
非接触ＩＣ対応改札機が送信する時刻表データの範囲は、非接触ＩＣ対応改札機で認識される改札機通過時刻以降の定期券の区間（定期券区間）又は定期券区間外の所定区間に絞ることにより、携帯端末装置のメモリ等の記憶領域を最小限に設定することが可能である。
【発明を実施するための最良の形態】
【００１６】
（実施の形態の構成の説明）
本発明の携帯端末装置の一実施の形態を携帯電話機の例により以下説明する。
（実施の形態１）
本実施の形態の時刻情報表示システムは、携帯電話機１１と、携帯電話機１１に搭載された非接触ＩＣに対応する自動改札機であって、交通機関の改札ゲートに配置され、時刻表データベース３１にアクセス可能な非接触ＩＣ対応改札機２１と、から構成される。
【００１７】
図１は本実施の形態の携帯電話機のブロック構成の要部を示す図である。  
本実施の形態の携帯電話機１１は、コンピュータを構成する制御部のＣＰＵ（中央処理装置）１４を搭載しており、ＣＰＵ１４はバスおよびシリアルインターフェースを介して装置内の表示制御部１２、非接触ＩＣ１３、時刻表データ格納メモリ１５、キー入力部１６、制御プログラム格納メモリ１７、作業用メモリ１８及び定期券情報メモリ１９と接続されている。
【００１８】
ここで制御プログラム格納メモリ１７は、ＣＰＵ１４が実行するための各種の制御用プログラムやかな文字変換等に使用される辞書等の固定的なデータを格納したＲＯＭ（リード・オンリ・メモリ）である。
【００１９】
作業用メモリ１８はＲＡＭ（ランダム・アクセス・メモリ）によって構成されており、ＣＰＵ１２がプログラムを実行する上で一時的に必要とされるデータを格納する。駅名と当該駅の到着時刻などを表示する際の編集用の画像データやキー入力部１６より入力されたキー入力データを表示する際の画像データ、時刻表データ格納メモリ１５に格納された駅情報（駅名等）と当該駅の時刻情報（到着時刻等）のデータからなる時刻表データを一時的に展開する時もこの作業用メモリ１５の所定の領域に格納される。
【００２０】
時刻表データ格納メモリ１５には、非接触ＩＣ１３が非接触ＩＣ対応改札機２１から受信データ５０として受信した時刻表データがＣＰＵ１２により格納される。また、定期券区間の各駅の到着時刻の表示の設定／非設定に関する設定情報、必要により定期券区間の自動的表示か定期券区間内外のユーザの駅指定による表示かの設定情報等が格納される。
【００２１】
定期券情報格納メモリ１９は、少なくとも定期券区間の両端の駅名、路線、必要により経由駅、乗り換え駅、乗り越しに関する設定情報等、定期券乗車に関する情報（定期券情報）が格納される。
【００２２】
キー入力部１６は、各種のキーからのキー入力を受け付ける入力回路である。  
表示制御部１２は、ＣＰＵ１４からの表示データを表示制御する制御回路である。表示制御部１２は、携帯端末装置１１本体の前面に配置されており、白黒あるいはカラーの液晶パネルあるいは有機ＥＬ（電子蛍光）等の表示装置である。
【００２３】
非接触ＩＣ１３は、定期券情報等の乗車に関する情報を送信データ４０として非接触ＩＣ対応改札機２１に送信し、非接触ＩＣ対応改札機２１から前記定期券情報に基づいて選択された時刻表データを受信データ５０として受信する。
【００２４】
ＣＰＵ１４は、制御プログラム格納メモリ１７に記憶された制御用プログラムを読み込み、読み込まれた制御用プログラムにより制御され、前記各部を制御し、携帯電話機としての通信機能、電子メールの送受信機能、定期券機能や各種の機能制御に加えて、定期券区間の各駅の到着時刻の表示の設定／非設定に関するキー入力操作に対する制御、非接触ＩＣ対応改札機２１との通信制御、非接触ＩＣ対応改札機２１への定期券情報の送信と非接触ＩＣ対応改札機２１から受信した受信データ（時刻表データ）の格納、及び、格納した時刻表データにより到着時刻表示画面を表示する制御を行う。
【００２５】
一方、非接触ＩＣ対応改札機２１は改札ゲートに設置され自動改札機能の制御に加え、非接触ＩＣ１３との通信、時刻表データベース３１へアクセスして時刻表データを取り込む等の制御を行う改札制御部２２を備える。特に改札制御部２２は、交通機関の利用者が改札ゲートを通過する際に、所持する携帯電話機１１に内蔵された非接触ＩＣ１３との間で通信を行い、乗車に関する情報として非接触ＩＣ１３から定期券情報等を受信し、前記利用者の入場を許可する自動改札処理を行うとともに、受信した定期券情報等に基づいて、前記時刻表データベースにアクセスし、例えば当該改札ゲートの通過時刻以降の最も早く乗車可能な定期券区間の乗り物の各駅とその到着時刻等のデータを時刻表データとして携帯電話機１１の非接触ＩＣ１３に送信する機能を有する。
【００２６】
（実施の形態の動作の説明）
次に本実施の形態の携帯電話機による時刻情報表示システムの動作を詳細に説明する。  
図２は、本携帯電話機の使用者が非接触ＩＣを介して受信した到着時刻のデータを表示設定するモードの機能設定処理（初期設定処理）の流れを示す図である。
【００２７】
図１のキー入力部１６でキー入力操作（キー操作）が行われたか否か判断する（ステップＡ１）。キー操作が行われた場合、到着時刻を表示する到着時刻表示の設定を行うキー操作（到着時刻表示の要求）が行われたか否か判断する（ステップＡ２）。到着時刻表示の要求が行われた場合、一旦、到着時刻表示の設定又は非設定（設定／非設定）をユーザに確認するための選択画面を図１の表示制御部１２に表示する（ステップＡ３）。
【００２８】
ステップＡ２で、キー操作が到着時刻表示の要求でない場合、到着時刻表示の設定／非設定の選択要求か否か判断する（ステップＡ４）。到着時刻表示の設定／非設定の選択要求の場合、ステップＡ３の選択画面が表示されているか判断する（ステップＡ５）。該選択画面が表示されている場合（直前等にステップＡ２の到着時刻表示の要求の処理が行われた場合）、選択画面でユーザが選択した設定又は非設定の何れかの設定情報を図１の時刻表データ格納メモリ１５等に保存し（ステップＡ６）、設定又は非設定の設定内容（設定画面）をユーザに表示するなどにより通知した後、待ち受け画面に戻る（ステップＡ７）。また、設定／非設定の選択画面が表示されていない状態（直前等にステップＡ２の到着時刻表示の要求の処理が行われなかった場合）で設定／非設定の選択要求があった場合（ステップＡ５で選択画面が表示中でない場合（ＮＯ））は、何もせず現在の状態を維持する。
【００２９】
また、ステップＡ４で設定／非設定の選択要求でなかった場合（ＮＯ）、機能設定処理のモードのクリアを要求するモードクリア要求か否か判断する（ステップＡ８）。モードクリア要求であった場合、待ち受け画面表示に戻して処理を終了する（ステップＡ９）。また、モードクリア要求でなかった場合、何もせず現在の状態を維持する。
【００３０】
つまり、到着時刻表示の設定は、ユーザのキー操作による到着時刻表示の要求による処理（ステップＡ１〜Ａ３）により表示された設定／非設定の選択画面で、引き続き到着時刻表示の設定／非設定の選択要求のキー操作による処理（ステップＡ１、Ａ２、Ａ４〜Ａ７）が行われることによりユーザの到着時刻表示の設定又は非設定の機能設定が携帯電話機１１に行われる。そして到着時刻表示の非設定状態では通常の携帯電話機としての機能のみが実現され、設定状態では改札ゲート（非接触ＩＣ対応改札機２１）の通過により本発明の到着時刻表示の機能が実現される。
【００３１】
図３は、本携帯電話機が図１の非接触ＩＣ対応改札機２１との通信によりデータを送受信し、受信した時刻表データを携帯電話機内に保存するモードの処理の流れを示す図である。
【００３２】
携帯電話機１１のＣＰＵ１４は図１の非接触ＩＣ対応改札機２１との通信により、非接触ＩＣ１３から割り込みが発生したか否か判断する（ステップＢ１）。割り込みが発生していない場合は終了し、割り込みが発生するまで同様の処理を繰り返し現在の状態を維持する。
【００３３】
ステップＢ１で非接触ＩＣ１３からの割り込みが発生した場合、受信した情報（データ）が定期券情報の送信要求か否か判断する（ステップＢ２）。定期券情報の送信要求であった場合、図１の定期券情報格納メモリ１９に格納されている定期券情報を非接触ＩＣ１３を介して図１の送信データ４０として図１の非接触ＩＣ対応改札機２１に送信する（ステップＢ３）。
【００３４】
ステップＢ２で定期券情報の送信要求でなかった場合、時刻表データの受信開始要求か否か判断する（ステップＢ４）。時刻表データの受信開始要求であった場合、図１の非接触ＩＣ対応改札機２１から受信データ５０として受信した時刻表データを図１の時刻表データ格納メモリ１５に保存する（ステップＢ５）。時刻表データは、例えば定期券情報に基づく改札ゲートの通過時以降の最も早く乗車可能な定期券区間の乗り物の各駅の到着時刻を含む時刻表データとすることができる。
【００３５】
ステップＢ４で時刻表データの受信開始要求でなかった場合、時刻表データの送信完了か否か判断する（ステップＢ６）。時刻表データの送信完了であった場合、図１の非接触ＩＣ１３を介する非接触ＩＣ対応改札機２１との通信を終了する（ステップＢ７）。その後、時刻表データ格納メモリ１５に保存された時刻表データを読み出し、表示制御部１２に到着時刻画面として定期券区間の到着駅（各駅）とその到着時刻の対応表示等の表示・設定の処理へ移行する（ステップＢ８）。
【００３６】
ステップＢ６で時刻表データの送信完了でもなかった場合、データ送受信のイレギュラー等による通信終了要求か否か判断する（ステップＢ９）。この通信終了要求の場合、図１の非接触ＩＣ１３を介する非接触ＩＣ対応改札機２１との通信を終了する（ステップＢ１０）。この通信終了要求でもない場合は、現在の状態を維持（通信継続）し、次の事象が発生するのを待つ。
【００３７】
以上の処理により、携帯電話機１１は非接触ＩＣ対応改札機２１を通過した入場時のステップＢ１〜Ｂ３の定期券情報の送信後、ステップＢ４〜Ｂ８による時刻表データの受信及び表示・設定の処理により、表示制御部１２に定期券区間の各駅の到着時刻表示が可能である。
【００３８】
（実施の形態２）
以上の実施の形態１では、携帯電話機１１に設定する到着時刻表示が定期券区間における各駅の到着時刻の表示を可能とする構成例であるが、本発明の実施の形態２として到着時刻表示が定期券区間外の乗り越し駅の到着時刻表示をもユーザの駅指定により動作可能に構成することができる。
【００３９】
本実施の形態２では、図２及び図３に示すモードの処理を同様に実施することから、その詳細の説明を省略するものの、図２に示すモードの機能設定処理における設定／非設定の選択画面による設定の処理（ステップＡ１〜Ａ７）においては、定期券区間内の時刻表データの自動的な表示設定か定期券区間外の乗り越し下車駅等の指定駅による時刻表データの表示設定をも含むかを選択的に設定可能とすることができる。
【００４０】
また、本実施の形態２では、図３に示すモードの処理において、ステップＢ５、Ｂ６の時刻表データは乗り越し下車駅の到着時刻表示のため定期券区間外の定期券区間に隣接する一定の区間範囲（所定区間）の時刻表データの受信処理が実現されるように、携帯電話機１１から所定区間の情報が定期券情報に挿入され非接触ＩＣ対応改札機２１に送信され、非接触ＩＣ対応改札機２１は前記定期券情報により定期券区間と前記所定区間の時刻表データを携帯電話機１１に送信するように構成することができる。そして、図３に示すステップＢ８の表示・設定処理では、以下の図４に示す表示・選択処理が分岐処理として実行される。
【００４１】
図４は、実施の形態２で非接触ＩＣ対応改札機２１から送出された時刻表データを表示・選択するモードの処理の流れを示す図である。
【００４２】
本実施の形態２の図２と同様の前記機能設定処理における設定／非設定の選択画面での設定内容が定期券区間の到着時刻の自動的な表示設定か否か判断する（ステップＣ１）。実施の形態１と同様の定期券区間の到着時刻の自動的な表示設定の場合、図１のＣＰＵ１４は時刻表データ格納メモリ１５から定期券区間の各駅の到着時刻の時刻表データを読み出し、表示制御部１２に定期券の到着駅と到着時間との対応表示等の到着時刻画面として表示する（ステップＣ２）。なお、ステップＣ１、Ｃ２は図３のステップＢ８に相当する。
【００４３】
定期券区間の到着時刻の表示設定でない場合、定期券区間外の表示をする事象待ちか否か判断する（ステップＣ３）。定期券区間外の表示を行う事象待ちであった場合、ＣＰＵ１４は図１の制御プログラム格納メモリ１７より下車駅入力画面を読み出し、使用者の駅名入力のために表示制御部１２に表示する（ステップＣ４）。
【００４４】
ステップＣ３で定期券区間外の表示をする事象待ちでない場合は、下車駅の駅名の入力状態となり、ステップＣ４の下車駅の入力画面（到着駅入力画面）で駅名を入力完了したか否か判断する（ステップＣ５）。下車駅名の入力が完了した場合、図１の時刻表データ格納メモリ１５に格納された駅名から入力された下車駅名と一致するデータを検索する（ステップＣ６）。検索した結果から該当する駅名があるか否か判断する（ステップＣ７）。該当する駅名があった場合は、図１のＣＰＵ１４は時刻表データ格納メモリ１５から当該駅名とその到着時刻のデータ（駅情報とその到着時刻情報）を読み出し、一時的に図１の作業用メモリ１８に時刻表データとして格納するとともに、該作業用メモリ１８から当該時刻表データを読み出し表示制御部１２に表示する（ステップＣ８）。入力した駅名と一致するデータが無かった場合、図１のＣＰＵ１４は駅名を再入力する到着駅入力画面を表示制御部１２に表示する（ステップＣ９）。
【００４５】
ステップＣ５で下車駅名の入力が完了していない場合、本モードの時刻表データの表示機能を終了するか否か判断する（ステップＣ１０）。時刻表データの表示機能を終了する場合、ＣＰＵ１４は待ち受け画面を表示して処理を終了する（ステップＣ１１）。時刻表データの表示機能を終了しない場合は、到着駅入力状態を継続し、図１のキー入力部１６にて入力された文字を表示制御部１２に表示する（ステップＣ１２）。
【００４６】
図５は、使用者が到着したい駅の到着時刻のデータを図１の時刻表データ格納メモリ１５から検索するモードの処理（図４のステップＣ６）の流れを示す図である。本処理では時刻表データ格納メモリ１５及び作業用メモリ１８に格納された時刻表データの駅情報（駅名）を検索（特定）する駅情報カウンタと、作業用メモリ１８に格納された駅名の文字列を特定する文字列カウンタとを使用して、使用者が入力した駅名から当該駅の到着時刻を検索して表示する。
【００４７】
到着したい駅名を検索するための駅情報カウンタを初期化する（ステップＤ１）。使用者が図１のキー入力部１６から入力した駅名の先頭の文字（文字データ）と、駅情報カウンタの初期値で指定された図１の時刻表データ格納メモリ１５に格納された駅名の先頭文字（文字データ）が一致しているか否か判断する（ステップＤ２）。先頭の文字データが一致していた場合、図１の作業用メモリ１８に一致した駅名とその到着時刻を時刻表データとして格納する（ステップＤ３）。先頭の文字データが不一致の場合は何もせず次の処理へ移行する。
【００４８】
次に図１の時刻表データ格納メモリ１５に格納されている時刻表データを全て比較したか否か判断する（ステップＤ４）。全てのデータとの比較が完了していない場合、次の時刻表データを検索するため、駅情報カウンタを更新する（ステップＤ５）。全てのデータと比較するまでステップＤ１からステップＤ５までの処理を繰り返す。
【００４９】
全てのデータと比較できた場合、２文字目以降の文字データを比較する為に文字列の順位を特定するカウンタである文字列カウンタを２に設定する（ステップＤ６）。また、図１の作業用メモリに絞り込まれた時刻表データを検索するための駅情報カウンタを初期化する（ステップＤ７）。続いて、図１の作業用メモリ１８に絞り込まれた時刻表データが一つか否か判断する（ステップＤ８）。時刻表データが一つの場合、ＣＰＵ１４は図１の作業用メモリ１８から当該時刻表データを読み出し表示制御部１２に駅名とその到着時刻を表示する（ステップＤ９）。図１の作業用メモリ１８に格納されている時刻表データが一つ以外の場合、該当する時刻表データが無いもしくは複数あるか判断する（ステップＤ１０）。該当するデータが無かった場合は、そのまま処理を終了する。
【００５０】
該当する時刻表データが複数ある場合、入力データの２文字目以降の文字データと図１の作業用メモリ１８に絞り込まれた駅名の２文字目以降の文字データを比較する（ステップＤ１１）。２文字目の文字データが不一致の場合、図１の作業用メモリ１８に格納した当該時刻表データを削除する（ステップＤ１２）。２文字目の文字データが一致した場合は何もせず次の処理へ移行する。
【００５１】
次に図１の作業用メモリ１８に格納されている時刻表データを全て比較したか否か判断する（ステップＤ１３）。全てのデータと比較が完了していない場合、次の時刻表データを検索するため、駅情報カウンタを更新する（ステップＤ１４）。全てのデータと比較したら文字列カウンタを更新し（ステップ１Ｄ５）、３文字目以降もステップＤ７からステップＤ１５までの処理を繰り返す。
【００５２】
（他の実施の形態）
以上の実施の形態では定期券区間の到着時刻の表示として、定期券区間の各駅の到着時刻を表示する例を説明したが、他の実施の形態としてユーザの改札ゲートの通過時に定期券区間の両端の駅の一方を入場駅とし他方を出場駅（到着駅）として、例えば携帯電話機が非接触ＩＣ対応改札機から出場駅の時刻表データのみを受信して到着時刻表示を行うように構成することが可能である。なお、この場合にも定期券区間の各駅の時刻表データを受信すれば、実施の形態２と同様に途中下車駅の駅名の入力により当該駅の到着時刻を表示可能に構成することが可能である。
【００５３】
更に、入場駅が定期券区間の中間駅の場合には、携帯電話機が非接触ＩＣ対応改札機から定期券情報に基づき時刻表データとして定期券区間（及び定期券区間外の所定区間）の上下線の各駅の時刻表データを受信することにより、例えば定期券区間内の乗車駅を除く各駅又は定期券区間の両端の駅の到着時刻を表示できるように構成することができる。
【００５４】
また以上の実施の形態において、入場駅で非接触ＩＣ対応改札機から受信する時刻表データは、交通機関の改札ゲートの出場毎等、到着時刻の表示の処理後に消去することにより使用される記憶領域は最小限にすることが可能である。
【００５５】
なお、非接触ＩＣ対応改札機から送信される時刻表データとしては、ユーザの改札ゲートの通過時より最も早く乗車可能な乗り物の乗車口への移動時間を考慮すると好適であり、非接触ＩＣ対応改札機はこの移動時間をも考慮して適切な時刻表データを送信するように構成することができる。この移動時間はユーザにより携帯電話機のキー入力操作により設定可能とし、定期券情報等に移動時間の情報を含めて非接触ＩＣ対応改札機に送信し、非接触ＩＣ対応改札機は最も早く乗車可能な乗り物の時刻表データとして改札ゲートの通過時刻に前記移動時間を加味して選定し、送信するように構成することができる。
【００５６】
更に他の実施の形態として、改札ゲートを通過時の非接触ＩＣと非接触ＩＣ対応改札機のアクセスに起因して、例えば非接触ＩＣ対応改札機から時刻表データを受信する際に、非接触ＩＣと非接触ＩＣ対応改札機、又は他の通信手段を介して交通機関の他の関連情報を受信したり、到着時刻の表示の際に当該到着時刻の情報を他者に通知する電子メールを送信するように構成することが可能である。
【００５７】
例えば、改札を通過したところで携帯電話機を路線会社のネットワークに接続し、事故などによる運行中止、遅延等の運行状況の情報や駅周辺の情報を受け取り、表示するように構成することが可能である。
【００５８】
また、特許文献１記載のように改札通過時に非接触ＩＣ対応改札機から受信した時刻表データに基づき検索した到着時刻を自動的に電子メールで所定の端末等に送信するように構成することも可能である。
【産業上の利用分野】
【００５９】
携帯電話機、ＰＤＡ（Personal Data Assistance，Personal Digital Assistants：個人向け携帯型情報通信機器）等の非接触ＩＣを搭載する携帯端末装置と非接触ＩＣ対応改札機。
【図面の簡単な説明】
【００６０】
【図１】本発明の実施の形態１の携帯電話機のブロック構成の要部を示す図である。
【図２】本携帯電話機の使用者が非接触ＩＣを介して受信した到着時刻表データを表示設定するモードの機能設定処理（初期設定処理）の流れを示す図である。
【図３】本携帯電話機が非接触ＩＣ対応改札機との通信によりデータを送受信し、受信した時刻表データを携帯電話機内に保存するモードの処理の流れを示す図である。
【図４】本発明の実施の形態２で非接触ＩＣ対応改札機から送出された時刻表データを表示・選択するモードの処理の流れを示す図である。
【図５】使用者が到着したい駅の時刻表データを時刻表データ格納メモリ１５から検索するモードの処理の流れを示す図である。
【符号の説明】
【００６１】
１１  携帯電話機
１２  表示制御部
１３  非接触ＩＣ
１４  ＣＰＵ（中央処理装置）
１５  時刻表データ格納メモリ
１６  キー入力部
１７  制御プログラム格納メモリ
１８  作業用メモリ
１９  定期券情報格納メモリ
２１  非接触ＩＣ対応改札機
２２  改札制御部
３１  時刻表データベース
【図１】
2008067295.tif 000003
【図２】
2008067295.tif 000004
【図３】
2008067295.tif 000005
【図４】
2008067295.tif 000006
【図５】
2008067295.tif 000007